(57)【要約】【課題】開口部の周囲の剛性低下の影響を抑制したゴルフクラブヘッドの提供。【解決手段】フェース部と、クラウン部と、ソール部及びサイド部を含むソール・サイド部と、を備えた中空のゴルフクラブヘッドであって、前記ソール・サイド部に形成された開口部と、前記フェース部の背面に係合する第一の係合部と、前記フェース部からバック側に離間した位置において前記ソール・サイド部に係合する第二の係合部と、前記ゴルフクラブヘッドの内部において前記第一の係合部から前記第二の係合部へ延設された中間部と、を含む補強部材と、を含み、フェース−バック方向で、前記開口部の位置は前記補強部材の前記第一の係合部と前記第二の係合部との間の領域内にある。【選択図】図５
2019097928.tif 000002
【特許請求の範囲】
【請求項１】
フェース部と、クラウン部と、ソール部及びサイド部を含むソール・サイド部と、を備えた中空のゴルフクラブヘッドであって、
前記ソール・サイド部に形成された開口部と、
前記フェース部の背面に係合する第一の係合部と、前記フェース部からバック側に離間した位置において前記ソール・サイド部に係合する第二の係合部と、前記ゴルフクラブヘッドの内部において前記第一の係合部から前記第二の係合部へ延設された中間部と、を含む補強部材と、を含み、
フェース−バック方向で、前記開口部の位置は前記補強部材の前記第一の係合部と前記第二の係合部との間の領域内にある、
ことを特徴とするゴルフクラブヘッド。
【請求項２】
請求項１に記載のゴルフクラブヘッドであって、
前記中間部は、前記開口部上を通過している、
ことを特徴とするゴルフクラブヘッド。
【請求項３】
請求項１に記載のゴルフクラブヘッドであって、
前記ゴルフクラブヘッドの外部から前記開口部を介して前記補強部材を視認可能である、
ことを特徴とするゴルフクラブヘッド。
【請求項４】
請求項１に記載のゴルフクラブヘッドであって、
前記開口部には、少なくとも一部が非金属材料のカバーが設けられている、
ことを特徴とするゴルフクラブヘッド。
【請求項５】
請求項１に記載のゴルフクラブヘッドであって、
前記開口部には、透過性を有するカバーが設けられている、
ことを特徴とするゴルフクラブヘッド。
【請求項６】
請求項１に記載のゴルフクラブヘッドであって、
前記開口部として、複数の開口部を含み、
前記複数の開口部の各開口部を覆う部分を一体に備えたカバーを更に備える、
ことを特徴とするゴルフクラブヘッド。
【請求項７】
フェース部と、クラウン部と、ソール部及びサイド部を含むソール・サイド部と、を備えた中空のゴルフクラブヘッドであって、
前記ソール・サイド部に形成された第一の開口部及び第二の開口部と、
前記フェース部の背面に係合する第一の係合部と、前記フェース部からバック側に離間した位置において前記ソール・サイド部に係合する第二の係合部と、前記ゴルフクラブヘッドの内部において前記第一の係合部から前記第二の係合部へ延設された中間部と、を含む第一の補強部材及び第二の補強部材と、を含み、
フェース−バック方向で、前記第一の開口部及び前記第二の開口部の位置は前記第一の補強部材及び前記第二の補強部材の前記第一の係合部と前記第二の係合部との間の領域内にある、
ことを特徴とするゴルフクラブヘッド。
【請求項８】
請求項７に記載のゴルフクラブヘッドであって、
前記第一の開口部及び前記第二の開口部は、トウ−ヒール方向に離間して配置され、
前記第一の補強部材及び前記第二の補強部材は、トウ−ヒール方向に離間して配置され、
前記第一の補強部材の前記中間部は、前記第一の開口部上を通過し、
前記第二の補強部材の前記中間部は、前記第二の開口部上を通過している、
ことを特徴とするゴルフクラブヘッド。
【発明の詳細な説明】
【技術分野】
【０００１】
本発明はゴルフクラブヘッドに関する。
【背景技術】
【０００２】
ゴルフクラブヘッドの特性を調整するため、フェース部の剛性分布を調整する部材を設けたもの（例えば特許文献１〜７）、開口部を設けて重力配分や重心位置等を調整するもの（例えば特許文献８〜１０）、重りの位置を変化させて重心位置を調整するもの（例えば特許文献１１）が提案されている。また、ゴルフクラブヘッドの内部構造を外部に露出させる窓を有するものも提案されている（例えば特許文献１２）。
【先行技術文献】
【特許文献】
【０００３】
【特許文献１】特開２０１６−００２１３６号公報
【特許文献２】特開２０１７−０２３２１６号公報
【特許文献３】米国特許出願公開第２０１５／３６００９９号明細書
【特許文献４】米国特許出願公開第２０１７／０１４６９１号明細書
【特許文献５】特許第０５７６２４４２号公報
【特許文献６】米国特許第９５６６４７８号明細書
【特許文献７】米国特許第６５５８２７１号明細書
【特許文献８】米国特許第９６１６３０１号明細書
【特許文献９】米国特許第９４４０１２３号明細書
【特許文献１０】米国特許第９４５７２４５号明細書
【特許文献１１】特開２０１６−０５９７９８号公報
【特許文献１２】特許第０５２７０５４１号公報
【発明の概要】
【発明が解決しようとする課題】
【０００４】
意匠性の向上や重量配分を調整するために、ソール部やサイド部に開口部を設けることが有効である。しかし、開口部を設けたことでその周囲の剛性が低下する場合がある。こうした局所的な剛性の低下は、打撃時におけるフェース部の変形や、ゴルフクラブヘッド全体の耐久性に影響する。
【０００５】
本発明の目的は、開口部の周囲の剛性低下の影響を抑制したゴルフクラブヘッドを提供することにある。
【課題を解決するための手段】
【０００６】
本発明によれば、
フェース部と、クラウン部と、ソール部及びサイド部を含むソール・サイド部と、を備えた中空のゴルフクラブヘッドであって、
前記ソール・サイド部に形成された開口部と、
前記フェース部の背面に係合する第一の係合部と、前記フェース部からバック側に離間した位置において前記ソール・サイド部に係合する第二の係合部と、前記ゴルフクラブヘッドの内部において前記第一の係合部から前記第二の係合部へ延設された中間部と、を含む補強部材と、を含み、
フェース−バック方向で、前記開口部の位置は前記補強部材の前記第一の係合部と前記第二の係合部との間の領域内にある、
ことを特徴とするゴルフクラブヘッドが提供される。
【０００７】
また、本発明によれば、
フェース部と、クラウン部と、ソール部及びサイド部を含むソール・サイド部と、を備えた中空のゴルフクラブヘッドであって、
前記ソール・サイド部に形成された第一の開口部及び第二の開口部と、
前記フェース部の背面に係合する第一の係合部と、前記フェース部からバック側に離間した位置において前記ソール・サイド部に係合する第二の係合部と、前記ゴルフクラブヘッドの内部において前記第一の係合部から前記第二の係合部へ延設された中間部と、を含む第一の補強部材及び第二の補強部材と、を含み、
フェース−バック方向で、前記第一の開口部及び前記第二の開口部の位置は前記第一の補強部材及び前記第二の補強部材の前記第一の係合部と前記第二の係合部との間の領域内にある、
ことを特徴とするゴルフクラブヘッドが提供される。
【発明の効果】
【０００８】
本発明によれば、開口部の周囲の剛性低下の影響を抑制したゴルフクラブヘッドを提供することができる。
【図面の簡単な説明】
【０００９】
【図１】（Ａ）は本発明の一実施形態のゴルフクラブヘッドの斜視図、（Ｂ）は図１（Ａ）のゴルフクラブヘッドをソール部側から見た図。
【図２】（Ａ）は図１（Ａ）のゴルフクラブヘッドをトウ側から見た図、（Ｂ）は図１（Ａ）のゴルフクラブヘッドをヒール側から見た図。
【図３】（Ａ）は図１（Ａ）のゴルフクラブヘッドを構成する中空体をソール部側から見た斜視図、（Ｂ）はカバーの斜視図。
【図４】（Ａ）は図１（Ｂ）のＩ−Ｉ線断面図（端面図）、（Ｂ）は補強部材の斜視図。
【図５】図２（Ｂ）のＩＩ−ＩＩ線断面図。
【図６】（Ａ）は図５のＩＩＩ−ＩＩＩ線断面図、（Ｂ）は図５のＩＶ−ＩＶ線断面図。
【発明を実施するための形態】
【００１０】
図１（Ａ）は本発明の一実施形態のゴルフクラブヘッド１の斜視図、図１（Ｂ）はゴルフクラブヘッド１をソール部１４側から見た図である。図２（Ａ）はゴルフクラブヘッド１をトウ側から見た図、図２（Ｂ）はゴルフクラブヘッド１をヒール側から見た図である。
【００１１】
ゴルフクラブヘッド１はその本体をなす中空体１０を有しており、中空体１０の周壁が、フェース部１１、クラウン部１２、ソール・サイド部１２を構成している。ソール・サイド部１２はソール部１４及びサイド部１５を含む。フェース部１１は、その表面（正面）がフェース面（打撃面）を形成する。フェース面にはバルジ及びロールを形成することができる。クラウン部１２はゴルフクラブヘッド１の上部を形成する。ソール部１４はゴルフクラブヘッド１の底部を形成する。サイド部１５はソール部１４とクラウン部１２との間の部分を形成する。また、ゴルフクラブヘッド１はシャフトが取付けられるホゼル部１６を備える。
【００１２】
図１（Ａ）の矢印ｄ１はフェース−バック方向を示し、Ｆはフェース部側を、Ｂはバック側を示している。矢印ｄ２はトウーヒール方向を示し、Ｔはトウ側を、Ｈはヒール側を示している。矢印ｄ３は上下方向（クラウン−ソール方向）を示し、Ｕは上側（クラウン側）、Ｌは下側（ソール側）を示している。フェース−バック方向は、例えば、飛球線方向（打球の目標方向）である。トウ−ヒール方向は、例えば、ソール部１４のトウ側端とヒール側端とを結ぶ方向であり、飛球線方向とは直角の関係にある。上下方向は、ゴルフクラブヘッド１を規定ライ角、規定ロフト角通りに水平面に設置した場合の鉛直方向であり、ｄ１、ｄ２とは直角の関係にある。
【００１３】
ゴルフクラブヘッド１はドライバ用のゴルフクラブヘッドである。しかし、本発明はドライバ以外のフェアウエイウッド等も含むウッド型のゴルフクラブヘッド等、他の種類の中空ゴルフクラブヘッドに適用可能である。
【００１４】
ゴルフクラブヘッド１は、金属材料から作成することができ、そのような金属材料としては、チタン系金属（例えば、６Ａｌ−４Ｖ−Ｔｉのチタン合金等）、ステンレス、アルミ合金、ベリリウムカッパー等の銅合金が挙げられる。
【００１５】
ゴルフクラブヘッド１は、複数のパーツを接合して組み立てることができる。例えば、本体部材とフェース部材とカバー部材から構成できる。本体部材は、ソール部１４、サイド部１５を構成する。本体部材には、フェース部１１に相当する部分の開口部（フェース開口部）と、クラウン部１２に相当する部分の開口部（クラウン開口部）とが形成される。フェース部材は本体部材のフェース開口部に接合されてこの開口部を閉鎖し、フェース部１１を構成する。カバー部材は本体部材のクラウン開口部に接合されてこの開口部を閉鎖し、クラウン部１２を形成する。
【００１６】
ソール・サイド部１３には、開口部１３０ａ及び１３０ｂ、取付部１３１ａ及び１３１ｂが形成されている。本実施形態の場合、開口部１３０ａ及び１３０ｂ、取付部１３１ａ及び１３１ｂがソール部１４に形成されているが、その少なくとも一つがサイド部１５に形成されていてもよい。
【００１７】
開口部１３０ａ及び取付部１３１ａは本実施形態の場合、ソール部１４のトウ側の位置に形成されている。開口部１３０ｂ及び取付部１３１ｂは本実施形態の場合、ソール部１４のヒール側の位置に形成されている。開口部１３０ａ及び１３０ｂは、取付部１３１ａ及び１３１ｂよりもフェース部１１側に位置している。開口部１３０ａ及び１３０ｂは、それぞれ、中空体１０とは別部材のカバー部２０ａ、２０ｂにより覆われている。
【００１８】
図３（Ａ）は中空体１０をソール部１４側から見た斜視図であり、カバー部２０ａ及び２０ｂ並びに補強部材２１及び２２が取り外された状態を示している。開口部１３０ａ及び１３０ｂはソール部１４を貫通する孔であり、本実施形態の場合、それらの輪郭は略三角型をなしている。
【００１９】
開口部１３０ａ及び１３０ｂは、ゴルフクラブヘッド１の重量配分調整又は意匠性少なくともいずれか一方を目的として形成され得る。重量配分調整を目的とする場合、例えば、カバー部２０ａ及び２０ｂとして、中空体１０と比重が異なる材料を用いることで、トウ−ヒール方向のゴルフクラブヘッド１の重量配分を調整することができる。意匠性を目的とした場合、例えば、カバー部２０ａ及び２０ｂとして、中空体１０と色や模様が異なる部材を用いたり、透過性を有する部材を用いることで、ゴルフクラブヘッド１の意匠性を向上できる。いずれの目的とした場合であっても、カバー部２０ａ及び２０ｂは、金属材料又は非金属材料を用いることができる。金属材料の場合、金属線の網であってもよいし、パンチングされた板材等であってもよい。非金属材料としては、繊維強化樹脂や透過性を有する樹脂等を挙げることができる。
【００２０】
本実施形態の場合、開口部１３０ａ及び１３０ｂは、主として、意匠性の向上を目的として形成されており、カバー部２０ａ及び２０ｂは透過性を有する部材で構成されている。これにより、ゴルフクラブヘッド１の内部を、カバー部２０ａ及び２０ｂを介して、外部から視認することができる。ユーザはゴルフクラブヘッド１の内部構造を視覚的に確認したり、楽しむことができる。カバー部２０ａ及び２０ｂは、無色透明であっても有色透明であってもよく、例えば、ポリエチレン、ポリプロピレン、ポリ塩化ビニル、アクリル樹脂、等の樹脂材料から形成することができる。
【００２１】
図３（Ｂ）はカバー部２０ａ及び２０ｂを形成するカバー２０の斜視図である。本実施形態では、カバー部２０ａとカバー部２０ｂとがブリッジ２０ｃを介して接続されており、これらが全体として一体の一部品のカバー２０を構成している。カバー部２０ａとカバー部２０ｂとを、それぞれ別部品とすることも可能であるが、本実施形態のように、一部品とすることで、製造性、組付性が容易化する。製造性の点で言えば、例えば、射出成形等によりこのような部品を製造する場合、金型の種類が一つで足りる。また、組付性の点で言えば、組付工数を減らすことができる。
【００２２】
カバー２０は、カバー部２０ａの周囲の周縁部２０ｄとカバー部２０ｂの周囲の周縁部２０ｅとを含む。周縁部２０ｄ、２０ｅをソール部１４に接着することでカバー２０をソール部１４に固定することができる。カバー２０はソール部１４の外面に固定してもよいが、本実施形態の場合、ソール部１４の内面１４ａ（図５、図６（Ａ）及び図６（Ｂ）参照）に固定されており、カバー２０は中空体１０の内部に配置されている。
【００２３】
取付部１３１ａには補強部材２１が取り付けられており、取付部１３１ｂには補強部材２２が取り付けられている。補強部材２１、２２は、開口部１３０ａ及び１３０ｂを形成したことによるソール・サイド部１３の剛性低下を抑制するために設けられており、中空体１０の内部空間に進入して該内部空間を延びている。図４（Ａ）は図１（Ｂ）のＩ−Ｉ線断面図（端面図）であり、クラウンを上側、ソールが下側となる向きにしている。図４（Ｂ）は補強部材２２の斜視図である。
【００２４】
以下、補強部材２２及び取付部１３１ｂの構成について説明するが、本実施形態の場合、補強部材２１及び取付部１３１ａも同じ構成である。
【００２５】
補強部材２２は、本実施形態の場合、棒状の部材である。換言すると、軸状又はロッド状の部材である。補強部材２２は、例えば、金属材料から構成することができる。補強部材２２は、フェース部１１の背面１１ａに係合する係合部２０１と、取付部１３１ｂと係合する係合部２０２とを含む。
【００２６】
係合部２０１は、本実施形態の場合、補強部材２２の先端部を構成し、背面１１ａに対する係合態様は当接である。しかし、係合態様として、ねじ止め、圧入等、他の係合態様でもよい。本実施形態の場合、係合部２０１は先細りのテーパ形状を有しており、その先端が背面１１ａのソール部１４側の部位（フェースセンタよりもソール部１４側の部位）に当接する。なお、フェースセンタは、例えば、フェース部のＣＴ値を計測する際に用いられるインパクトポイントテンプレートで特定することができる。
【００２７】
係合部２０２は補強部材２２の後端部を構成し、その周囲にねじが形成されたねじ部である。補強部材２２は、係合部２０１から係合部２０２へ延設された円柱状の中間部２０３を含み。本実施形態の場合、中間部２０３には軽量化のための肉抜きであるスリット２０３ａが形成されている。補強部材２２の後端には頭部２０４が形成されている。頭部２０４には、補強部材２２を中空体１０に組み付ける際に使用する工具と係合する溝が形成されている。
【００２８】
取付部１３１ｂはフェース部１１からバック側に離間した位置に形成されており、係合部２０２と螺合するねじ穴を備えている。中空体１０に対する補強部材２２の組み付けの際には、補強部材２２の先端部側（係合部２０１側）から取付部１３１ｂのねじ穴を通して補強部材２２を中空体１０の内部に挿入する。係合部２０２を取付部１３１ｂのねじ穴に螺合していくと、やがて係合部２０１がフェース部１１の背面１１ａに当接する。当接部２０１及び中間部２０３は中空体１０の内部空間に存在する。
【００２９】
係合部２０２と取付部１３１ｂのねじ穴との締め付けの程度で、フェース部１１の背面１１ａに対する係合部２０１の当接度合を調節することができる。係合部２０１は背面１１ａを押圧しない程度に接触してもよいし、押圧する程度に接触してもよい。この当接度合により、補強部材２２によるフェース部１１の拘束度合を調節することができる。すなわち、フェース部１１は補強部材２２の当接によって、その変形が拘束される。本実施形態の場合、フェース部１１の下部（ソール部１４側）に補強部材２２が当接しているので、フェース部１４の下部の変形が上部よりも拘束される。これは、打撃時に打球の打ち上げ角を増大させることに寄与する。
【００３０】
次に、開口部１３０ａ及び１３０ｂ、取付部１３１ａ及び１３１ｂ、カバー部２０ａ、２０ｂ、補強部材２１及び２２の配置や構造について説明する。図５は図２（Ｂ）のＩＩ−ＩＩ線断面図であり、ゴルフクラブヘッド１を規定ライ角、規定ロフト角通りに水平面に設置した場合の、その内部構造を示す平面図である。図６（Ａ）は図５のＩＩＩ−ＩＩＩ線断面図（但し、クラウンを上に、ソールを下に配置）、図６（Ｂ）は図５のＩＶ−ＩＶ線断面図である。
【００３１】
取付部１３１ａは、フェース部１１からバック側に離間し、かつ、トウ側に位置しており、そのねじ穴は、フェース部１１側から、トウ側でバック側の方向へ斜めに形成されている。このため、取付部１３１ａに取り付けられる補強部材２１はフェース部１１側から、トウ側でバック側の方向へ斜めに延設されている。
【００３２】
取付部１３１ｂは、フェース部１１からバック側に離間し、かつ、ヒール側に位置しており、そのねじ穴は、フェース部１１側から、ヒール側でバック側の方向へ斜めに形成されている。このため、取付部１３１ｂに取り付けられる補強部材２２２１はフェース部１１側から、ヒール側でバック側の方向へ斜めに延設されている。
【００３３】
補強部材２１及び２２を、フェース部１１の背面１１ａに対して斜めに当接させることで、補強部材２１とその周辺に必要以上の応力が集中することを防いでいる。これは、補強部材２１及び２２を、フェース部１１の背面１１ａに対して垂直に当接させた場合、インパクト時にボールからクラブに伝わる衝撃により取付部１３１ａまたは取付部１３１ｂにひび割れを生じることがあるので、それを緩和することができる。また、補強部材２１及び２２がｄ２方向に離間していることで、フェース部１１の変形をより広範囲に渡って拘束することができる。
【００３４】
補強部材２１及び２２の各係合部２０１間のｄ２方向の距離Ｌ１と、各係合部２０２間（取付部１３１ａと１３１ｂとの間）のｄ２方向の距離Ｌ２とを比較すると、本実施形態ではＬ２＞Ｌ１の関係にある。距離Ｌ１を相対的に狭くし、各係合部２０１をｄ２方向でフェース部１１のフェースセンタに近い部位に当接させることで、フェースセンタ周囲の変形を拘束し易くなる。一方、距離Ｌ２を相対的に広くすることで、打撃時の衝撃を補強部材２１、２２を介してより広範囲に渡って中空体１０に分散することができる。
【００３５】
ｄ１方向で、開口部１３０ａの位置は、補強部材２１の係合部２０１と係合部２０２との間の領域Ｒ１内にある。領域Ｒ１は、仮想面Ｓ１と仮想面Ｓ２との間の領域である。仮想面Ｓ１は、ｄ２方向及びｄ３方向に延びる面であって、係合部２０１と背面１１ａとの当接点を通る面である。仮想面Ｓ２は、ｄ２方向及びｄ３方向に延びる面であって、係合部２０２（ここでは取付部１３１ａとの螺合部位のうちフェース部１１側の端点）を通る面である。
【００３６】
ｄ１方向で開口部１３０ａの位置を領域Ｒ１内にすることで、開口部１３０ａの形成によるソール・サイド部１３のｄ１方向の剛性低下を補強部材２１で補うことができる。したがって、開口部１３０ａの周囲の剛性低下の影響を抑制することができる。また、補強部材２１はフェース部１１の変形拘束部材としても機能する。つまり、補強部材２１を開口部１３０ａの周囲の剛性補強部材及びフェース部１１の変形拘束部材として兼用することができる。
【００３７】
ｄ２方向で開口部１３０ａの位置は、補強部材２１とずれていてもよいが、本実施形態の場合、補強部材２１の中間部２０３は開口部１３０ａ上を通過して重なっている。換言すると、開口部１３０ａと中間部２０３とがｄ２方向に重なる位置に配置されている。これにより、補強部材２１による開口部１３０ａの周囲の剛性補強性能を向上できる。また、本実施形態の場合、開口部１３０ａを覆うカバー部２０ａが透過性を有するため、外部からカバー部２０ａを介して、中空体１０の内部の中間部２０３や係合部２０１を視認することが可能である。これによりユーザはゴルフクラブヘッド１の内部構造を視覚的に確認したり、楽しむことができる。
【００３８】
ｄ１方向で、開口部１３０ｂの位置は、補強部材２２の係合部２０１と係合部２０２との間の領域Ｒ２内にある。領域Ｒ２は、仮想面Ｓ１１と仮想面Ｓ１２との間の領域である。仮想面Ｓ１１は、ｄ２方向及びｄ３方向に延びる面であって、係合部２０１と背面１１ａとの当接点を通る面である。仮想面Ｓ１２は、ｄ２方向及びｄ３方向に延びる面であって、係合部２０２（ここでは取付部１３１ｂとの螺合部位のうちフェース部１１側の端点）を通る面である。
【００３９】
ｄ１方向で開口部１３０ｂの位置を領域Ｒ２内にすることで、開口部１３０ｂの形成によるソール・サイド部１３のｄ１方向の剛性低下を補強部材２２で補うことができる。したがって、開口部１３０ｂの周囲の剛性低下の影響を抑制することができる。また、補強部材２２はフェース部１１の変形拘束部材としても機能する。つまり、補強部材２２を開口部１３０ｂの周囲の剛性補強部材及びフェース部１１の変形拘束部材として兼用することができる。
【００４０】
ｄ２方向で開口部１３０ｂの位置は、補強部材２２とずれていてもよいが、本実施形態の場合、補強部材２２の中間部２０３は開口部１３０ｂ上を通過して重なっている。換言すると、開口部１３０ｂと中間部２０３とがｄ２方向に重なる位置に配置されている。これにより、補強部材２２による開口部１３０ｂの周囲の剛性補強性能を向上できる。また、本実施形態の場合、開口部１３０ｂを覆うカバー部２０ｂが透過性を有するため、外部からカバー部２０ｂを介して、中空体１０の内部の中間部２０３や係合部２０１を視認することが可能である。これによりユーザはゴルフクラブヘッド１の内部構造を視覚的に確認したり、楽しむことができる。
【００４１】
＜他の実施形態＞
上記実施形態では、ｄ１方向で、開口部１３０ａの位置は領域Ｒ１だけでなく領域Ｒ２内にあると言えるので、補強部材２１だけでなく補強部材２２も開口部１３０ａの周囲の剛性補強に寄与している。しかし、ｄ１方向で、開口部１３０ａが領域Ｒ２から外れた位置にある構成も採用可能である。同様に、ｄ１方向で、開口部１３０ｂの位置は領域Ｒ２だけでなく領域Ｒ１内にあると言えるので、補強部材２２だけでなく補強部材２１も開口部１３０ｂの周囲の剛性補強に寄与している。しかし、ｄ１方向で、開口部１３０ｂが領域Ｒ１から外れた位置にある構成も採用可能である。
【００４２】
上記実施形態では、二組の開口部１３０ａ、１３０ｂと補強部材２１、２２を設けたが、一組であってもよいし、三組以上であってもよい。
【００４３】
上記実施形態では、補強部材２１、２２が同じ部材であったが異なる部材であってもよい。また、補強部材２１、２２は、複数種類の補強部材の中から選択可能であってもよい。複数種類の補強部材は、互いに形状、重量、剛性の少なくとも一つが異なるものであってもよい。補強部材の選択はユーザが行ってもよく、補強部材の交換によりゴルフクラブヘッド１の特性（重心位置、重心深度、フェース部１１の剛性分布）が変更可能であってもよい。
【符号の説明】
【００４４】
１  ゴルフクラブヘッド、２１  補強部材、２２  補強部材、１３０ａ  開口部、１３０ｂ  開口部
【図１】
2019097928.tif 000003
【図２】
2019097928.tif 000004
【図３】
2019097928.tif 000005
【図４】
2019097928.tif 000006
【図５】
2019097928.tif 000007
【図６】
2019097928.tif 000008